(57)【特許請求の範囲】
【請求項１】
記録媒体を収納する収納手段と、
上記記録媒体に撮像装置により撮像された画像データを記録する記録手段と、
上記記録媒体の画像データを読み出す読出手段と、
上記収納手段に開閉自在に設けられた開閉手段と、
上記開閉手段の開状態を検出する検出手段と、
所定の警告処理を行う警告手段と、
上記記録媒体への上記画像データの記録処理中に上記検出手段が上記開閉手段の開状態を検出した場合、当該画像データの記録処理が終了するまで、画像データの記録処理中である旨の警告処理を出し続け、新たな処理が行えないように該記録処理後禁止処理を行うよう制御し、上記記録媒体の上記画像データの読み出し処理中に上記検出手段が上記開閉手段の開状態を検出した場合、当該処理を中断する中断処理を行い、新たな処理が行えないように禁止処理を行うよう制御する制御手段とを備えるデータ記録装置。
【請求項２】
被写体を撮像して画像データを出力する撮像手段と、
記録媒体を収納する収納手段と、
上記記録媒体に上記画像データを記録する記録手段と、
上記記録媒体の画像データを読み出す読出手段と、
上記収納手段に開閉自在に設けられた開閉手段と、
上記開閉手段の開状態を検出する検出手段と、
所定の警告処理を行う警告手段と、
上記記録媒体への上記画像データの記録処理中に上記検出手段が上記開閉手段の開状態を検出した場合、当該画像データの記録処理が終了するまで、画像データの記録処理中である旨の警告処理を出し続け、新たな処理が行えないように該記録処理後禁止処理を行うよう制御し、上記記録媒体の上記画像データの読み出し処理中に上記検出手段が上記開閉手段の開状態を検出した場合、当該処理を中断する中断処理を行い、新たな処理が行えないように禁止処理を行うよう制御する制御手段とを備える撮像装置。
【請求項３】
収納手段に収納された記録媒体に撮像装置により撮像された画像データを記録する記録ステップと、
上記記録媒体の画像データを読み出す読出ステップと、
上記記録媒体が収納された収納手段に開閉自在に設けられた開閉手段の開状態を検出する検出ステップと、
上記記録媒体への上記画像データの記録処理中に上記開状態が検出された場合に、当該画像データの記録処理が終了するまで、記録処理中である旨の警告処理を出し続け、新たな処理が行えないように該記録処理後禁止処理を行う警告ステップと、
上記記録媒体の画像データ読み出し処理中に上記開状態が検出された場合に、当該処理を中断する中断処理を行い、新たな処理が行えないように禁止処理を行う中断処理ステップとを含むデータ記録方法。
【発明の詳細な説明】
【技術分野】
【０００１】
本発明は、被写体の画像をディジタル化して画像データ等のデータを記録媒体に記録するデータ記録装置、撮像装置及びデータ記録方法に関する。
【背景技術】
【０００２】
磁気記録を使ってカラー写真を撮るディジタルカメラ装置がある。このディジタカメラ装置は、フロッピー（登録商標）ディスクに撮影して得た静止画像情報（以下、単に画像情報という。）を記録している。
【０００３】
ディジタルカメラ装置は、上記フロッピーディスクを収納し装着する収納装着部を有し、この収納装着部に装着されている上記フロッピーディスクに対する上記画像情報を書き込み、又は画像情報の読み出しを行うことができる。
【０００４】
そして、ディジタルカメラ装置は、表示機能を有しており、メモリ等に記憶したフロッピーディスクに関する情報、例えば記録している画像の内容情報、を表示部に表示することができる。また、ディジタルカメラ装置は、フロッピーディスクに記録されている画像情報を読み出して、上記表示部に表示することもできる。
【０００５】
【特許文献１】特開平０２−０７６３７８号公報
【発明の開示】
【発明が解決しようとする課題】
【０００６】
ところで、ディジタルカメラ装置は、上記画像情報等を書き込んでいる最中、或いはフロッピーディスクから画像情報を読み出している最中に、収納装着部からフロッピーディスクが取り出されると、当該画像情報が破壊されてしまう場合がある。
【０００７】
なお、ディジタルカメラ装置においては、収納装着部を閉塞する蓋は、当該収納装着部に塵等の侵入の防止するうえで有効な手段となる。
【０００８】
そこで、本発明は、上述の実情に鑑みてなされたものであって、処理中に記録媒体が収納手段から取り出されるのを防止し、データの破壊を防止することができるデータ記録装置、撮像装置及びデータ記録方法の提供を目的とする。
【課題を解決するための手段】
【０００９】
本発明に係るデータ記録装置は、上述の課題を解決するために、記録媒体を収納する収納手段と、上記記録媒体に撮像装置により撮像された画像データを記録する記録手段と、上記記録媒体の画像データを読み出す読出手段と、上記収納手段に開閉自在に設けられた開閉手段と、上記開閉手段の開状態を検出する検出手段と、所定の警告処理を行う警告手段と、上記記録媒体への上記画像データの記録処理中に上記検出手段が上記開閉手段の開状態を検出した場合、当該画像データの記録処理が終了するまで、画像データの記録処理中である旨の警告処理を出し続け、新たな処理が行えないように該記録処理後禁止処理を行うよう制御し、上記記録媒体の上記画像データの読み出し処理中に上記検出手段が上記開閉手段の開状態を検出した場合、当該処理を中断する中断処理を行い、新たな処理が行えないように禁止処理を行うよう制御する制御手段とを備える。
【００１０】
また、本発明に係る撮像装置は、上述の課題を解決するために、被写体を撮像して画像データを出力する撮像手段と、記録媒体を収納する収納手段と、上記記録媒体に上記画像データを記録する記録手段と、上記記録媒体の画像データを読み出す読出手段と、上記収納手段に開閉自在に設けられた開閉手段と、上記開閉手段の開状態を検出する検出手段と、所定の警告処理を行う警告手段と、上記記録媒体への上記画像データの記録処理中に上記検出手段が上記開閉手段の開状態を検出した場合、当該画像データの記録処理が終了するまで、画像データの記録処理中である旨の警告処理を出し続け、新たな処理が行えないように該記録処理後禁止処理を行うよう制御し、上記記録媒体の上記画像データの読み出し処理中に上記検出手段が上記開閉手段の開状態を検出した場合、当該処理を中断する中断処理を行い、新たな処理が行えないように禁止処理を行うよう制御する制御手段とを備える。
【００１１】
また、本願発明に係るデータ記録方法は、上述の課題を解決するために、収納手段に収納された記録媒体に撮像装置により撮像された画像データを記録する記録ステップと、上記記録媒体の画像データを読み出す読出しステップと、上記記録媒体が収納された収納手段に開閉自在に設けられた開閉手段の開状態を検出する検出ステップと、上記記録媒体への上記画像データの記録処理中に上記開状態が検出された場合に、当該画像データの記録処理が終了するまで、記録処理中である旨の警告処理を出し続け、新たな処理が行えないように該記録処理後禁止処理を行う警告ステップと、上記記録媒体の画像データ読み出し処理中に上記開状態が検出された場合に、当該処理を中断する中断処理を行い、新たな処理が行えないように禁止処理を行う中断処理ステップとを備える。
【発明の効果】
【００１２】
本発明は、記録媒体への撮像装置により撮像された画像データの記録処理中に収納手段に開閉自在に設けられた開閉手段の開状態を検出する検出手段が開閉手段の開状態を検出した場合、画像データの記録処理が終了するまで、記録処理中である旨の警告処理を行うよう制御するようにしたので、処理中に記録媒体が収納手段から取り出されるのを防止することができる。これにより、書き込み処理は継続し、終了するまで警告処理を行うため、データの破壊を防止し、かつ、ユーザーが撮影した画像を無駄にしないようにできる。
【００１３】
また、記録媒体の画像データの読み出し処理中に収納手段に開閉自在に設けられた開閉手段の開状態を検出する検出手段が開閉手段の開状態を検出した場合、当該処理を中断する中断処理を行うので、記録媒体が取り出されても当該記録媒体に記録されている画像データの破壊を防止することができる。
【発明を実施するための最良の形態】
【００１４】
以下、本発明が適用されたディジタルカメラ装置について図面を参照して説明する。このディジタルカメラ装置は、撮影した得た被写体の静止画像情報（以下、単に画像情報という。）をディジタル化して記録媒体とされるフロッピーディスクに記録するものである。
【００１５】
ディジタルカメラ装置の主な回路構成等を図１に示し、外観の構成を図２乃至図４に示す。なお、フロッピーディスク１００は、例えば、３．５インチサイズの円盤形状の磁気ディスクであり、ディスクカートリッジ１０１に回転自在に収納されている磁気記録媒体である。
【００１６】
ディジタルカメラ装置１は、図１に示すように、光学系からの被写体の光信号を電気信号に変換する撮像手段となるＣＣＤ１１と、フロッピーディスク１００を収納し装着させる収納手段となる収納装着部２、ＣＣＤ１１からの電気信号をフロッピーディスク１００に記録可能な画像情報に変換するデータ変換手段であるサンプルホールド／アナログディジタル変換回路（以下、単にサンプルホールド回路という。）１２及びカメラ信号処理回路１３と、フロッピーディスク１００への画像情報の書き込みとフロッピーディスク１００に記録されている画像情報等の読み出しとを行う記録手段や読出手段となるフロッピーディスクコントローラ（以下、ＦＤＣという。）１８及びフロッピーディスクドライブ（以下、ＦＤＤという。）１９と、収納装着部２を開閉する開閉手段となる開閉蓋３と、開閉蓋３の開閉状態を検出する検出手段である蓋開閉検出スイッチ４と、少なくとも収納装着部２に装着されているフロッピーディスク１００に記録されている情報を記憶する記憶機能を有するＤＲＡＭ５と、蓋開閉検出スイッチ４からの検出結果に基づいて開閉蓋３が開状態から閉状態へ変化したことを検出したときには、収納装着部２に装着されているフロッピーディスク１００に記録された当該フロッピーディスク１００に関する情報をＤＲＡＭ５に記憶する処理を行う制御機能を有するマイクロコンピュータ６とを備えている。
【００１７】
このように構成したディジタルカメラ装置１は、蓋開閉検出スイッチ４の検出結果に基づいて開閉蓋３が開状態から閉状態へ変化したことをマイクロコンピュータ６が検出したときには、マイクロコンピュータ６によって、収納装着部２に装着されているフロッピーディスク１００に記録された当該フロッピーディスク１００に関する情報をＤＲＡＭ５に記憶する。
【００１８】
マイクロコンピュータ６によって行うフロッピーディスク１００に記録された当該フロッピーディスク１００に関する情報をＤＲＡＭ５に記憶する処理は、いわゆる初期化処理であって、この処理によって、当該フロッピーディスク１００に関する情報、例えばＦＡＴデータや特殊ファイル等のフロッピーディスク１００の内容情報、をＤＲＡＭ５に読み込むことができる。
【００１９】
この初期化処理によって、ディジタルカメラ装置１は、収納装着部２に装着されたフロッピーディスク１００の内容情報等がＤＲＡＭ５に記憶され、ＤＲＡＭ５に記憶された情報とフロッピーディスク１００に関する情報とが一致する。
【００２０】
また、ディジタルカメラ装置１は、マイクロコンピュータ６が蓋開閉検出スイッチ４からの検出結果に基づいて開閉蓋３の開状態を検出したとき、新たに処理を開始させない処理禁止設定を行う制御機能を有する。
【００２１】
この処理禁止設定によって、ディジタルカメラ装置１は、開閉蓋３が開閉されても、新たにデータの書き込み又は読み出しする等の処理を開始させないため、フロッピーディスク１００の取り出し時に処理中となることを防止し、画像情報等のデータの破壊を防止する。
【００２２】
さらに、ディジタルカメラ装置１は、ＤＲＡＭコントローラ１４と、被写体や装着されているフロッピーディスク１００の内容情報が表示されるＬＣＤパネル１５と、ＬＣＤパネル１５にＲＧＢ信号を供給するためのパネル信号処理回路１６とを備えている。
【００２３】
なお、ＤＲＡＭ５，ＤＲＡＭコントローラ１４，マイクロコンピュータ６，及びＦＤＣ１８は、相互に共通のバスによって接続される。
【００２４】
ディジタルカメラ装置１においては、被写体からの光線が対物レンズ４を通過してＣＣＤ１１で受光され、このＣＣＤ１１によって電気信号に変換される。ＣＣＤ１１からの出力信号は、サンプルホールド回路１２でサンプルホールド処理された後に１０ビットのディジタル信号にＡ／Ｄ変換される。Ａ／Ｄ変換されたこの１０ビットのディジタル信号は、カメラ信号処理回路１３に供給される。
【００２５】
カメラ信号処理回路１３は、サンプルホールド回路１２から供給される１０ビットのディジタル信号に所定の処理を施して、処理後の信号をＤＲＡＭコントローラ１４に出力する。カメラ信号処理回路１３は、この実施の形態では入力信号から８ビットの輝度信号Ｙと４ビットの色差信号Ｃを生成し、これら各信号Ｙ，ＣをＤＲＡＭコントローラ１４に出力するようになっている。
【００２６】
ＤＲＡＭコントローラ１４は、カメラ信号処理回路１３からの輝度信号Ｙと色差信号Ｃをそのままパネル信号処理回路１６に供給する。なお、ＣＣＤ１１が正方格子でない場合には、ＤＲＡＭコントローラ１４は、カメラ信号処理回路１３からの輝度信号Ｙと色差信号Ｃを正方格子化してパネル信号処理回路１６に供給する。
【００２７】
パネル信号処理回路１６は、入力した輝度信号Ｙと色差信号Ｃから赤色信号Ｒ，緑色信号Ｇ，青色信号Ｂを生成し、これらＲＧＢの各色信号をＬＣＤパネル１５に出力する。これにより、撮像対象となる被写体の画像がＬＣＤパネル１５に表示される。
【００２８】
また、ＤＲＡＭコントローラ１４は、カメラ信号処理回路１３からの輝度信号Ｙと色差信号Ｃとを詳細を後述するマイクロコンピュータ６の制御に基づいてＤＲＡＭ５の所定領域に格納する。なお、ＤＲＡＭ５は、４メガバイトのものが２個使用されることにより、合計８メガバイトの格納領域を有している。
【００２９】
操作入力部１７は、シャッターボタン、ズーム等の操作、データ消去等の編集やフロッピーディスク１００の内容情報の表示を行う各種操作ボタン／スイッチ等の操作内容を検出し、検出した信号を操作信号としてマイクロコンピュータ６に出力する。
【００３０】
マイクロコンピュータ６は、例えば高速処理が可能なＲＩＳＣ（Reduced Instruction Set Computer：縮小命令セットコンピュータ）タイプのものが用いられ、各ブロックを制御するためのソフトウェアプログラムが格納されたリードオンリーメモリー（ＲＯＭ）６ａを備えている。
【００３１】
例えば、マイクロコンピュータ６は、蓋開閉検出スイッチ４からの検出結果に基づいて開閉蓋３が開状態から閉状態へ変化したことを検知して、ＤＲＡＭ５に対する上記初期化処理を行う。
【００３２】
また、マイクロコンピュータ６は、操作入力部１７からの操作信号に基づいてこのＲＯＭ６ａ内のソフトウェアプログラムを実行させることにより、上述した撮影時，再生時，及び編集時における画像圧縮／伸張やファイル管理等の処理を行う。そして、マイクロコンピュータ６は、開閉蓋３の開閉状態に応じて、これら処理の中断処理、或いは警告処理等を行う。
【００３３】
マイクロコンピュータ６は、ＦＤＣ１８によって、ＦＤＤ１９を制御して、フロッピーディスク１００に記録されている画像情報等の読み出し、又はフロッピーディスク１００への画像情報等の書き込みを行っている。
【００３４】
上記ディジタルカメラ装置１の外観は、図２乃至図４に示すように、全体略直方体状の外形を呈した携帯可能な大きさとなっている。このディジタルカメラ装置１においては、筐体３１の正面側上部にシャッターボタン３２、対物レンズ３３、フラッシュ３４がそれぞれ取り付けられており、ユーザーの右手人差し指でシャッターボタン３２が押せるようになっている。
【００３５】
そして、ディジタルカメラ装置１は、筐体３１の一方の側面部３５に挿入開口部３５ａを有する収納装着部２を設け、この収納装着部２を開閉自在にするように開閉蓋３が取り付けられている。これにより、ディジタルカメラ装置１は、この側面部３５側からフロッピーディスク１００が内部に収納されたディスクカートリッジ１０１を収納装着部２に装填できるようになっている。
【００３６】
なお、収納装着部２には、フロッピーディスク１００に対する画像情報等の書き込み及び読み出しを行うＦＤＤ１９を配設している。
【００３７】
フロッピーディスク１００の収納装着部２への装着は、具体的には、フロッピーディスクカートリッジ１０１がシャッタ１０１ａ側から挿入されて行われる。
【００３８】
このディジタルカメラ装置１は、筐体３１の背面側にＬＣＤパネル１５を取り付ており、撮影時にはこのＬＣＤパネル１５に被写体が表示される。
【００３９】
そして、ディジタルカメラ装置１においては、シャッターボタン３２を押すことにより被写体を撮影すると、ＦＤＤ１９に装填されたディスクカートリッジ１０１内のフロッピーディスク１００に当該被写体についての画像情報及びこの画像情報についてのインデックスとなるサムネイル画像情報等が記録される。
【００４０】
また、ディジタルカメラ装置１には、ＬＣＤパネル１５の周囲に種々の操作ボタン／スイッチ３６ａ，３６ｂ，３６ｃ，３６ｄ，３６ｅ，３６ｆ，３６ｇ等が配設されており、これら各種操作ボタン等を操作することによって撮影時におけるズーム等の操作、データ消去等の編集ができるようになっている。
【００４１】
また、開閉蓋３の開閉は、開閉操作部３７を上下動させることによって、この開閉操作部３７と連動する係合爪３８ａ，３８ｂと開閉蓋３の係合部３ａ，３ｂとの係合状態を解除又は保持させることにより行う。
【００４２】
蓋開閉検出スイッチ４は、開閉蓋３に、その開閉に連動して動作するように取り付けている。なお、開閉蓋３の開閉は、センサーによっても検出することができる。
【００４３】
そして、ディジタルカメラ装置１は、上述したように、蓋開閉検出スイッチ４によって開閉蓋３の閉状態を検出して、適宜処理の制御を行う。
【００４４】
以下に、ディジタルカメラ装置１が、開閉蓋３の開閉状態を検出して、対応して行う各種処理について、図５に示すフローチャートを用いて説明する。
【００４５】
なお、このフローチャートは、ディジタルカメラ装置１のメインの処理を行うメインループ処理中内に設けられたサブルーチンである。
【００４６】
先ず、マイクロコンピュータ６は、ステップＳ１に示すように、装置のパワーオン時かを判別する。パワーオン時であった場合、マイクロコンピュータ６は、ステップＳ２に示すように、Ｎ＝０にする。ここで、Ｎは、０又は１の何れかの値が代入され、後の処理では、開閉蓋３の開閉状態によって０又は１の何れかの値に決定され、また、Ｎの値によって開閉蓋３の開閉状態を判別する。
【００４７】
また、装置がパワーオン時でなく、既に装置が起動されている場合、上記ステップＳ２からステップＳ３に進む。ステップＳ３において、Ｎ＿ＯＬＤ＝Ｎにする。例えば、ステップＳ３においては、装置のパワーオン後の最初の処理では、Ｎ＿ＯＬＤ＝０になる。
【００４８】
その後ステップＳ４に示すように、マイクロコンピュータ６は、開閉蓋３が閉じているかを判別する。開閉蓋３が閉じている場合、ステップＳ５に示すように、Ｎ＝１にして、続いて、ステップＳ７に示すように、Ｎ＝１かつＮ＿ＯＬＤ＝０であるかを判別する。
【００４９】
また、ステップＳ４において開閉蓋３が開いている場合、マイクロコンピュータ６は、ステップＳ６に示すように、Ｎ＝０にして、続いて上記ステップＳ７において、Ｎ＝１かつＮ＿ＯＤＬ＝０であるかを判別する。
【００５０】
ステップＳ７の判別において、Ｎ＝１かつＮ＿ＯＬＤ＝０であった場合、ステップＳ８に示すように、マイクロコンピュータ６は、上述した初期化処理を行い、続いてステップＳ９に示すように、開閉蓋３が開いているか、すなわちＮ＝０であるかを判別する。
【００５１】
また、ステップＳ７の判別においてＮ＝１かつＮ＿ＯＬＤ＝０でなかった場合、マイクロコンピュータ６は、上記初期化処理を行わないように、ステップＳ７からステップＳ９に進む。
【００５２】
ステップＳ９の判別において開閉蓋３が開いている場合、マイクロコンピュータ６は、ステップＳ１０に示すように、画像情報等のデータの書き込み処理中かの判別を行う。ここで、書き込み処理中の場合、マイクロコンピュータ６は、ステップＳ１１に示すように、当該書き込み処理が終了するまで、警告を出し続ける警告処理を行う。例えば警告は、ＬＣＤパネル１５への警告表示や図示しないスピーカからの警告音によって行う。
【００５３】
また、書き込み処理中でない場合、マイクロコンピュータ６は、ステップＳ１２に示すように、画像情報等のデータの読み込み処理中かの判別を行う。ここで、読み込み処理中であることを確認した場合、マイクロコンピュータ６は、ステップＳ１３に示すように、読み込み処理の中断処理を行う。
【００５４】
また、読み込み処理中でない場合、マイクロコンピュータ６は、ステップＳ１４に示すように、ユーザ操作によって新たな処理が要求されたかを判別する。新たな処理がユーザ操作によって要求されている場合、マイクロコンピュータ６は、ステップＳ１５に示すように、一定期間警告を出す警告処理を行う。ここで警告は、上述と同様、ＬＣＤパネル１５への警告表示や警告音によって行う。
【００５５】
また、ユーザ操作によって新たな処理も要求されていない場合には、マイクロコンピュータ６は、ステップＳ１６に示すように、開閉蓋３が開いている間警告を出し続け、ステップＳ１７に示すように、新たな処理が行えないように、処理禁止設定を行う。
【００５６】
一方、ステップＳ９の判別において開閉蓋３が開いていないことを確認した場合、マイクロコンピュータ６は、ステップＳ１８に示すように、処理禁止設定の解除処理を行う。
【００５７】
ディジタルカメラ装置１は、以上のようなフローチャートに従って、開閉蓋３の開閉状態を検出して、対応した処理の制御を行う。
【００５８】
例えば、ディジタルカメラ装置１が起動中に、フロッピーディスク１００が挿入されて開閉蓋３が閉じられたことよって上記初期化処理が実行される場合について説明する。
【００５９】
先ず装置は起動しているので、ステップＳ１からステップＳ３へ進む。ステップＳ３では、ＮをＮ＿ＯＬＤに置き換える処理を行う。フロッピーディスク１００を収納装着部２に装着するために開閉蓋３が開けれたことを前回の当該フローチャートに従った処理において検出しているので、前回のフローチャートのステップＳ６及びステップＳ７によってＮ＝０となっている。よって、今回のフローチャートのこのステップＳ３では、Ｎ＿ＯＬＤ＝０となる。
【００６０】
そして、フロッピーディスク１００を装着されて開閉蓋３が閉じられた今回の当該フローチャートでは、ステップＳ４からステップＳ５に進むため、Ｎ＝１となる。
【００６１】
よって、Ｎ＝１かつＮ＿ＯＬＤ＝０となり、ステップＳ７からステップＳ８に進んで、マイクロコンピュータ６によって上記初期化処理が実行される。
【００６２】
そして、上記初期化処理がなされた後は、ステップＳ９において開閉蓋３が閉じていると判別されるため、ステップＳ１８に進んで、処理禁止設定の解除処理がなされる。この処理禁止設定の解除処理は、例えば前回のフローチャートにおいてなされたステップＳ１７の処理禁止設定を解除するための処理である。
【００６３】
上述のフローチャートに従った処理を行うことで、ディジタルカメラ装置１は、開閉蓋３が開状態から閉状態にされて収納装着部２にフロッピーディスク１００が収納されたことによって上記初期化処理を実行することができる。
【００６４】
よって、ディジタルカメラ装置１は、収納装着部２に装着されたフロッピーディスク１００の内容情報等の当該フロッピーディスク１００に関する情報がＤＲＡＭ５に記憶された情報と常に一致するようになる。
【００６５】
これにより、ディジタルカメラ装置１においては、ＬＣＤパネル１５に表示されるフロッピーディスクの内容情報が収納装着部２に装着されているフロッピーディスク１００の情報と常に一致する。よって、例えば、ディジタルカメラ装置１は、収納装着部２に装着されているフロッピーディスク１００に関して誤った残量記録容量等の内容情報をユーザに伝えることを防止することができる。
【００６６】
また、収納装着部２に装着されたフロッピーディスク１００に関する情報がＤＲＡＭ５に記憶された情報と一致することより、フロッピーディスク１００が入れ換えたことを確認しないまま、ユーザ等の指示によってアクセス処理するとその時にメモリに上記初期化処理が必要となり余分な時間がかかるといった問題を解消することができる。
【００６７】
また、ディジタルカメラ装置１は、マイクロコンピュータ６によって、開閉蓋３が開状態のときには、新たな処理を開始させない禁止処理設定を行うことで、フロッピーディスク１００の取り出し時に処理中であることを防止し、当該フロッピーディスク１００に記録されるデータの破壊を防止することができる。
【００６８】
また、ディジタルカメラ装置１は、データの読み出し処理中に開閉蓋３が開状態になったとき、マイクロコンピュータ６によって、当該処理を中断する中断処理を行うことで、フロッピーディスク１００が取り出されても当該フロッピーディスク１００に記録されているデータの破壊を防止する。
【００６９】
また、ディジタルカメラ装置１は、開閉蓋３が開状態になったとき、処理状態に応じて、警告表示又は警告音を発する警告処理を行うことで、ユーザ等に現在処理中であることを警告することができ、これにより、処理中にフロッピーディスク１００が収納装着部２から取り出されることを防止することができる。
【００７０】
なお、記録媒体は、メモリカード、ミニディスク、ハードディスク等であってもよい。例えばディジタルカメラ装置１には、従来、メモリーカードに記録するものもあり、例えばデータが書き込み処理がなされている時に当該メモリカードを引き抜こうとすると、データの破壊の防止のために装置の電源を強制的に落としていた。この場合、データの書き込みが中断される。しかし、本実施の形態としているディジタルカメラ装置１は、メモリカードを引き抜こうとした場合には、データの書き込み中断せずに処理を終了させることができるために、データの破壊を防止してもなお中断することなく書き込むことができる。
【００７１】
なお、開閉蓋の開閉状態を検出して、処理の制御することは、例えばパーソナルコンピュータやキャップチャーデッキに適用することもできる。この場合、ディジタルカメラ装置１と同様に、記録媒体の収納装着部に開閉自在とされる開閉蓋を取り付け、この開閉蓋の開閉状態を検出して、上述のような初期化処理、警告処理、中断処理等を行う。
【図面の簡単な説明】
【００７２】
【図１】本発明を適用したディジタルカメラ装置を示す回路構成図である。
【図２】上記ディジタルカメラ装置の外観を示す図であって、正面方向から見た斜視図である。
【図３】上記ディジタルカメラ装置の外観を示す図であって、背面方向から見た斜視図である。
【図４】上記ディジタルカメラ装置の外観を示す図であって、開閉蓋を閉じたときの様子を示す斜視図である。
【図５】開閉蓋の開閉状態によって処理を実行するためのフローチャートである。
【符号の説明】
【００７３】
１  ディジタルカメラ装置、２  収納部、３  開閉蓋、４  蓋開閉検出スイッチ、５  ＤＲＡＭ、６  マイクロコンピュータ
【図１】
0004801005.tif 000002
【図２】
0004801005.tif 000003
【図３】
0004801005.tif 000004
【図４】
0004801005.tif 000005
【図５】
0004801005.tif 000006